(57)【要約】【課題】簡易な構成で、投影に関する各種設定を外部機器側から遠隔操作可能にする。【解決手段】ポインティングデバイスを備えた外部機器からの画像信号を入力する無線ＬＡＮアンテナ54及び無線ＬＡＮインタフェース52と、入力した画像信号に基づいた画像を投影する投影系33〜46，2aと、入力した画像信号中からポインティングデバイスの操作に応じて移動するポインタの位置を抽出し、抽出したポインタの一定時間分の移動履歴を保持し、ポインタの特定の描画操作と選択可能な動作上の機能とを関連付けて記憶し、保持するポインタの一定時間分の移動履歴から特定の描画操作がなされたか否かを判断し、特定の描画操作がなされたと判断した場合に、記憶している当該描画操作と関連付けられた動作上の機能を設定するＣＰＵ47、メインメモリ48及びプログラムメモリ49とを備える。【選択図】      図３
2010061433.tif 000002
【特許請求の範囲】
【請求項１】
ポインティングデバイスを備えた外部機器からの画像信号を入力する入力手段と、
入力手段で入力した画像信号に基づいた画像を投影する投影手段と、
上記入力手段で入力した画像信号中から上記ポインティングデバイスの操作に応じて移動するポインタの位置を抽出する抽出手段と、
上記抽出手段で抽出したポインタの一定時間分の移動履歴を保持する保持手段と、
ポインタの特定の描画操作と選択可能な動作上の機能とを関連付けて記憶する記憶手段と、
上記保持手段で保持するポインタの一定時間分の移動履歴から上記特定の描画操作がなされたか否かを判断する判断手段と、
上記判断手段で特定の描画操作がなされたと判断した場合に、上記記憶手段から当該描画操作と関連付けられた動作上の機能を設定する制御手段と
を具備したことを特徴とする投影装置。
【請求項２】
上記記憶手段は、ポインタの複数の特定の描画操作及び画像と関連付けて選択可能な複数の動作上の機能を記憶し、
上記判断手段は、上記保持手段で保持するポインタの一定時間分の移動履歴から上記記憶手段で記憶する複数の特定の描画操作中のいずれか１つがなされた際にそれを識別して判断し、
上記制御手段は、上記判断手段での判断結果に応じて当該描画操作と関連付けられた動作上の機能を設定する
ことを特徴とする請求項１記載の投影装置。
【請求項３】
上記記憶手段は、ポインタの特定の描画操作及び画像中の分割エリアと関連付けて選択可能な複数の動作上の機能を記憶し、
上記判断手段は、上記保持手段で保持するポインタの一定時間分の移動履歴から上記記憶手段で記憶する特定の描画操作が画像中の対応する分割エリアでなされた際にそれを識別して判断し、
上記制御手段は、上記判断手段での判断結果に応じて当該描画操作と関連付けられた動作上の機能を設定する
ことを特徴とする請求項１または２記載の投影装置。
【請求項４】
上記制御手段は、上記判断手段で特定の描画操作がなされたと判断する第１段階で、上記投影手段で投影する画像の少なくとも一部のエリアを用いて、複数の動作上の機能項目を記載したメニュー画像を投影させ、投影させたメニュー画像中の複数の動作上の機能項目の１つに対して上記判断手段で特定の描画操作がなされたと判断する第２段階以降で、当該描画操作と関連付けられた動作上の機能を設定することを特徴とする請求項１記載の投影装置。
【請求項５】
上記制御手段は、上記投影手段で投影する画像の少なくとも一部のエリアを用い、半透明の上記メニュー画像を重畳して投影させることを特徴とする請求項４記載の投影装置。
【請求項６】
ポインティングデバイスを備えた外部機器からの画像信号を入力する入力部、及び上記入力部で入力した画像信号に基づいた画像を投影する投影部を備えた装置での投影方法であって、
上記入力部で入力した画像信号中から上記ポインティングデバイスの操作に応じて移動するポインタの位置を抽出する抽出工程と、
上記抽出工程で抽出したポインタの一定時間分の移動履歴を保持する保持工程と、
ポインタの特定の描画操作と選択可能な動作上の機能とを関連付けて記憶する記憶工程と、
上記保持工程で保持するポインタの一定時間分の移動履歴から上記特定の描画操作がなされたか否かを判断する判断工程と、
上記判断工程で特定の描画操作がなされたと判断した場合に、上記記憶工程で記憶した、当該描画操作と関連付けられた動作上の機能を設定する制御工程と
を有したことを特徴とする投影方法。
【請求項７】
ポインティングデバイスを備えた外部機器からの画像信号を入力する入力部、及び上記入力部で入力した画像信号に基づいた画像を投影する投影部を備えた装置が内蔵するコンピュータが実行するプログラムであって、
上記入力部で入力した画像信号中から上記ポインティングデバイスの操作に応じて移動するポインタの位置を抽出する抽出ステップと、
上記抽出ステップで抽出したポインタの一定時間分の移動履歴を保持する保持ステップと、
ポインタの特定の描画操作と選択可能な動作上の機能とを関連付けて記憶する記憶ステップと、
上記保持ステップで保持するポインタの一定時間分の移動履歴から上記特定の描画操作がなされたか否かを判断する判断ステップと、
上記判断ステップで特定の描画操作がなされたと判断した場合に、上記記憶ステップで記憶した、当該描画操作と関連付けられた動作上の機能を設定する制御ステップと
をコンピュータに実行させることを特徴とするプログラム。
【発明の詳細な説明】
【技術分野】
【０００１】
本発明は、例えばパーソナルコンピュータとデータプロジェクタ装置とを接続してプレゼンテーションを行なう場合に好適な投影装置、投影方法及びプログラムに関する。
【背景技術】
【０００２】
スクリーンに投影された画像に対する制御処理を、プロジェクタまたはプロジェクタと接続したＰＣに対する直接操作を行なうことなく、簡単に実行させることを目的とし、投影画像を撮影するデジタルカメラ機能を備えて、スクリーン上に照射されるレーザポインタの特定の形状パターン（マーク）を認識し、認識した形状パターンに応じた制御処理を実行するようにした技術が考えられている。（例えば、特許文献１）
【特許文献１】特開２００４−０７８６８２号公報
【発明の開示】
【発明が解決しようとする課題】
【０００３】
上記特許文献１に記載された技術では、プロジェクタがスクリーン上のレーザポインタによる照射位置を撮影するためのデジタルカメラを装備しなければならず、プロジェクタの構成が複雑になるという不具合を生じる。
【０００４】
加えて、投影の際には必ずレーザポインタを用いなければならず、投影に要する機器の数が増えるという不具合も生じる。
【０００５】
本発明は上記のような実情に鑑みてなされたもので、その目的とするところは、簡易な構成としながら、投影に関する各種設定を遠隔操作することが可能な投影装置、投影方法及びプログラムを提供することにある。
【課題を解決するための手段】
【０００６】
請求項１記載の発明は、ポインティングデバイスを備えた外部機器からの画像信号を入力する入力手段と、入力手段で入力した画像信号に基づいた画像を投影する投影手段と、上記入力手段で入力した画像信号中から上記ポインティングデバイスの操作に応じて移動するポインタの位置を抽出する抽出手段と、上記抽出手段で抽出したポインタの一定時間分の移動履歴を保持する保持手段と、ポインタの特定の描画操作と選択可能な動作上の機能とを関連付けて記憶する記憶手段と、上記保持手段で保持するポインタの一定時間分の移動履歴から上記特定の描画操作がなされたか否かを判断する判断手段と、上記判断手段で特定の描画操作がなされたと判断した場合に、上記記憶手段から当該描画操作と関連付けられた動作上の機能を設定する制御手段とを具備したことを特徴とする。
【０００７】
請求項２記載の発明は、上記請求項１記載の発明において、上記記憶手段は、ポインタの複数の特定の描画操作及び画像と関連付けて選択可能な複数の動作上の機能を記憶し、上記判断手段は、上記保持手段で保持するポインタの一定時間分の移動履歴から上記記憶手段で記憶する複数の特定の描画操作中のいずれか１つがなされた際にそれを識別して判断し、上記制御手段は、上記判断手段での判断結果に応じて当該描画操作と関連付けられた動作上の機能を設定することを特徴とする。
【０００８】
請求項３記載の発明は、上記請求項１または２記載の発明において、上記記憶手段は、ポインタの特定の描画操作及び画像中の分割エリアと関連付けて選択可能な複数の動作上の機能を記憶し、上記判断手段は、上記保持手段で保持するポインタの一定時間分の移動履歴から上記記憶手段で記憶する特定の描画操作が画像中の対応する分割エリアでなされた際にそれを識別して判断し、上記制御手段は、上記判断手段での判断結果に応じて当該描画操作と関連付けられた動作上の機能を設定することを特徴とする。
【０００９】
請求項４記載の発明は、上記請求項１または２記載の発明において、上記制御手段は、上記判断手段で特定の描画操作がなされたと判断する第１段階で、上記投影手段で投影する画像の少なくとも一部のエリアを用いて、複数の動作上の機能項目を記載したメニュー画像を投影させ、投影させたメニュー画像中の複数の動作上の機能項目の１つに対して上記判断手段で特定の描画操作がなされたと判断する第２段階以降で、当該描画操作と関連付けられた動作上の機能を設定することを特徴とする。
【００１０】
請求項５記載の発明は、上記請求項４記載の発明において、上記制御手段は、上記投影手段で投影する画像の少なくとも一部のエリアを用い、半透明の上記メニュー画像を重畳して投影させることを特徴とする。
【００１１】
請求項６記載の発明は、ポインティングデバイスを備えた外部機器からの画像信号を入力する入力部、及び上記入力部で入力した画像信号に基づいた画像を投影する投影部を備えた装置での投影方法であって、上記入力部で入力した画像信号中から上記ポインティングデバイスの操作に応じて移動するポインタの位置を抽出する抽出工程と、上記抽出工程で抽出したポインタの一定時間分の移動履歴を保持する保持工程と、ポインタの特定の描画操作と選択可能な動作上の機能とを関連付けて記憶する記憶工程と、上記保持工程で保持するポインタの一定時間分の移動履歴から上記特定の描画操作がなされたか否かを判断する判断工程と、上記判断工程で特定の描画操作がなされたと判断した場合に、上記記憶工程で記憶した、当該描画操作と関連付けられた動作上の機能を設定する制御工程とを有したことを特徴とする。
【００１２】
請求項７記載の発明は、ポインティングデバイスを備えた外部機器からの画像信号を入力する入力部、及び上記入力部で入力した画像信号に基づいた画像を投影する投影部を備えた装置が内蔵するコンピュータが実行するプログラムであって、上記入力部で入力した画像信号中から上記ポインティングデバイスの操作に応じて移動するポインタの位置を抽出する抽出ステップと、上記抽出ステップで抽出したポインタの一定時間分の移動履歴を保持する保持ステップと、ポインタの特定の描画操作と選択可能な動作上の機能とを関連付けて記憶する記憶ステップと、上記保持ステップで保持するポインタの一定時間分の移動履歴から上記特定の描画操作がなされたか否かを判断する判断ステップと、上記判断ステップで特定の描画操作がなされたと判断した場合に、上記記憶ステップで記憶した、当該描画操作と関連付けられた動作上の機能を設定する制御ステップとをコンピュータに実行させることを特徴とする。
【発明の効果】
【００１３】
本発明によれば、極力簡易な構成と操作により、投影に関する各種設定を外部機器側から遠隔操作することが可能な投影装置、投影方法及びプログラムを提供することが可能となる。
【発明を実施するための最良の形態】
【００１４】
（第１の実施形態）  
以下、パーソナルコンピュータとデータプロジェクタ装置を用いた本発明に係る投影システムに適用した場合の第１の実施形態について図面を参照して説明する。
【００１５】
図１は、システム全体の外観と接続構成を示すものである。パーソナルコンピュータ１とデータプロジェクタ装置２とが無線ＬＡＮ技術、例えばＩＥＥＥ８０２．１１ｇ規格に従って無線接続され、パーソナルコンピュータ１で再生されるプレゼンテーションプログラムの画像データが適宜データプロジェクタ装置２へ送られて、データプロジェクタ装置２によりスクリーンＳＣに向けて投影される。
【００１６】
ここでは、パーソナルコンピュータ１及びデータプロジェクタ装置２が共に予め無線ＬＡＮ機能を有するものとし、プレゼンテーションプログラム等の各種アプリケーションプログラムをパーソナルコンピュータ１が実行する際、その画像データをパーソナルコンピュータ１がデータプロジェクタ装置２に対して直接送信することが可能であるものとする。
【００１７】
パーソナルコンピュータ１は、マウス１ａ等のポインティングデバイスを設け、その操作に応じてパーソナルコンピュータ１からデータプロジェクタ装置２に送られる画像データ中のポインタの位置が移動する。
【００１８】
データプロジェクタ装置２は、パーソナルコンピュータ１から送られてきた画像データを基に、例えばマイクロミラー素子を用いて画像データに対応する光像を形成し、筐体前面に配置された投影レンズユニット２ａを介して、投影対象のスクリーンＳＣ上の投影範囲ＰＡ内に対し、各種画像を投影表示する。
【００１９】
次に図２によりパーソナルコンピュータ１の構成について説明する。図２はこのパーソナルコンピュータ１のハードウェア構成を示すものであり、各種処理制御を司るＣＰＵ１１とフロントサイドバスＦＳＢを介してノースブリッジ１２が接続される。
【００２０】
このノースブリッジ１２は、さらにメモリバスＭＢを介してメインメモリ１３と、またグラフィクスインタフェースＡＧＰを介してグラフィックコントローラ１４及びグラフィックメモリ１５と接続される他、サウスブリッジ１６とも接続され、主としてこれらの間での入出力制御を実行する。
【００２１】
サウスブリッジ１６は、ＰＣＩバス１７、上記マウス１ａを含むキーボード／マウス１８、ビデオエンコーダ１９、無線ＬＡＮインタフェース２０、マルチディスクドライブ２１、ハードディスク装置（ＨＤＤ）２２と接続され、主としてこれら周辺回路とノースブリッジ１２との間の入出力制御を行なう。
【００２２】
なお、これらパーソナルコンピュータ１を構成する個々の要素自体は、きわめて一般的な周知の技術であるのでその説明は省略するものとする。
【００２３】
なお、ビデオエンコーダ１９は、与えられたデジタル値の画像信号からアナログ値の画像信号であるＶＧＡビデオ信号を生成して出力し、ここでは図示しないカラーＴＦＴ（薄膜トランジスタ）液晶表示パネルで構成されるディスプレイ部を表示駆動する一方で、同ＶＧＡビデオ信号を無線ＬＡＮインタフェース２０へ出力する。
【００２４】
また、上記無線ＬＡＮインタフェース２０は、無線ＬＡＮアンテナ２３を介し、例えばＩＥＥＥ８０２．１１ｇ規格に則って２．４［ＧＨｚ］帯の電波で上記データプロジェクタ装置２を含む機器とのデータの送受を行なう。パーソナルコンピュータ１でプレゼンテーションのアプリケーションプログラムを実行している間は、当該プレゼンテーションのＶＧＡビデオ信号が上記ビデオエンコーダ１９から無線ＬＡＮインタフェース２０に送られてくるため、無線ＬＡＮインタフェース２０はそのビデオ信号を無線ＬＡＮアンテナ２３より外部の機器へ送信する。
【００２５】
次に図３により上記データプロジェクタ装置２の概略機能構成を示す。  
３１は入出力コネクタ部であり、例えばピンジャック（ＲＣＡ）タイプのビデオ入力端子、Ｄ−ｓｕｂ１５タイプのＲＧＢ入力端子、及びＵＳＢ（Ｕｎｉｖｅｒｓａｌ  Ｓｅｒｉａｌ  Ｂｕｓ）コネクタを含む。
【００２６】
入出力コネクタ部３１より入力される各種規格の画像信号は、入出力インタフェース（Ｉ／Ｆ）３２、システムバスＳＢを介し、スケーラとも称される画像変換部３３で投影に適した所定のフォーマットの画像信号に統一され、適宜表示用のバッファメモリであるビデオＲＡＭ３４に記憶された後に、投影画像処理部３５へ送られる。
【００２７】
この際、ＯＳＤ（Ｏｎ  Ｓｃｒｅｅｎ  Ｄｉｓｐｌａｙ）用の各種動作状態を示すシンボル等のデータも必要に応じてビデオＲＡＭ３４で画像信号に重畳加工され、加工後の画像信号が投影画像処理部３５へ送られる。
【００２８】
投影画像処理部３５は、送られてきた画像信号に応じて、所定のフォーマットに従ったフレームレート、例えば３０［フレーム／秒］と色成分の分割数、及び表示階調数を乗算した、より高速な時分割駆動により、空間的光変調素子（ＳＯＭ）であるマイクロミラー素子３６を表示駆動する。
【００２９】
一方、リフレクタ３７内に配置された、例えば高圧水銀灯を用いた光源ランプ３８が高輝度の白色光を出射する。この光源ランプ３８は、バラスト回路３９からの電力により交流駆動されるもので、光源ランプ３８の出射した白色光は、マイクロミラー素子３６での表示に同期して高速回転するカラーホイール４０を介して時分割で原色に着色され、インテグレータ４１で輝度分布が均一な光束とされた後にミラー４２で全反射して上記マイクロミラー素子３６に照射される。
【００３０】
そして、マイクロミラー素子３６での反射光で光像が形成され、形成された光像が上記投影レンズユニット２ａを介して、投影対象となるここでは図示しないスクリーンＳＣに投影される。
【００３１】
投影レンズユニット２ａは、マイクロミラー素子３６で形成された光像を拡大してスクリーン等の対象に投影するものであり、合焦位置及びズーム位置（投影画角）を任意に可変できるものとする。
【００３２】
すなわち、投影レンズユニット２ａ内の図示しないフォーカスレンズ及びズームレンズは共に光軸方向に沿って前後に移動することで制御されるもので、それらレンズはステッピングモータ（Ｍ）４３の回動駆動により移動する。
【００３３】
また、上記光源ランプ３８を点灯させるためのバラスト回路３９への電力供給、上記カラーホイール４０用のモータ（Ｍ）４４の回転駆動、カラーホイール４０の回転周端に設けられたマーカセンサ４５からのセグメント境界の検出、及び上記ステッピングモータ４３の回動駆動をいずれも投影光処理部４６が実行する。
【００３４】
なお、上記投影画像処理部３５は、マイクロミラー素子３６で表示する色成分毎の画像の切換タイミングに同期したランプ同期信号を上記バラスト回路３９及び投影光処理部４６へ出力する。
【００３５】
上記各回路の動作すべてをＣＰＵ４７が制御する。このＣＰＵ４７は、ＤＲＡＭで構成されたメインメモリ４８、動作プログラムや各種定型データ等を記憶した電気的書換可能な不揮発性メモリで構成されたプログラムメモリ４９を用いてこのデータプロジェクタ装置２内の制御動作を実行する。
【００３６】
上記ＣＰＵ４７は、操作部５０からの操作信号に応じて各種投影動作を実行する。この操作部５０は、データプロジェクタ装置２の筐体本体に設けられたキー操作部と、このデータプロジェクタ装置２専用の図示しないリモートコントローラからの赤外線変調信号を受信する赤外線受信部とを含み、ユーザがキー操作部またはリモートコントローラを介して操作したキーに基づくキーコード信号をＣＰＵ４７へ直接出力する。
【００３７】
上記ＣＰＵ４７はさらに、上記システムバスＳＢを介して音声処理部５１及び無線ＬＡＮインタフェース（Ｉ／Ｆ）５２と接続される。
【００３８】
音声処理部５１は、ＰＣＭ音源等の音源回路を備え、投影動作時に与えられる音声データをアナログ化し、スピーカ部５３を駆動して拡声放音させ、あるいは必要によりビープ音等を発生させる。
【００３９】
無線ＬＡＮインタフェース５２は、無線ＬＡＮアンテナ５４を介し、例えばＩＥＥＥ８０２．１１ｇ規格に則って２．４［ＧＨｚ］帯の電波でパーソナルコンピュータ１を含む機器とのデータの送受を行なう。パーソナルコンピュータ１がプレゼンテーションのアプリケーションプログラムを実行している間は、パーソナルコンピュータ１から無線で送られてくる当該プレゼンテーションのＶＧＡビデオ信号を受信し、上記画像変換部３３へ出力する。
【００４０】
次に上記実施形態の動作について説明する。  
図４は、パーソナルコンピュータ１をデータプロジェクタ装置２と無線ＬＡＮで接続した状態で、パーソナルコンピュータ１のマウス１ａによるポインタ操作に対応したデータプロジェクタ装置２の設定機能を登録する登録モード時の処理内容を示すものである。
【００４１】
この図４の動作は、ＣＰＵ４７がプログラムメモリ４９から読出した動作プログラムをメインメモリ４８に展開して実施することで制御される。
【００４２】
この際、パーソナルコンピュータ１及びデータプロジェクタ装置２を同時に取扱うユーザは、パーソナルコンピュータ１のディスプレイ及びデータプロジェクタ装置２で投影されるスクリーンＳＣの双方を見ながら登録作業を実行する。
【００４３】
その当初には、パーソナルコンピュータ１からのポインタを含む画像データを、無線ＬＡＮアンテナ５４、無線ＬＡＮインタフェース５２を介して受付け、画像変換部３３で変換した上で展開してビデオＲＡＭ３４に記憶させる（ステップＲ１０１）。
【００４４】
このビデオＲＡＭ３４に記憶させた画像データ中からポインタの位置を抽出し、抽出した位置をメインメモリ４８に蓄積して記憶させる（ステップＲ１０２）。このポインタの位置の蓄積に際しては、直前の画像フレームにおけるポインタの位置との比較により、ポインタの移動方向を示す情報を簡略化して合わせて記憶するものとしてもよい。
【００４５】
図５は、ポインタの移動方向について、前画像フレームでのポインタの位置Ｏからの移動方向を、全周囲３６０°を８分割して数値「１」〜「８」を割り当てた例を示す。例えば、画像中でポインタが水平方向に沿って右に移動し続けた場合、その移動方向から数値「２」を割り当てる。
【００４６】
次いで、蓄積して記憶したポインタの位置の一連の内容から、ポインタの位置が一定時間、例えば０．５［秒］以上変化していないかどうかにより、ポインタの移動が終了したか否かを判断する（ステップＲ１０３）。  
ここでポインタの位置が変化しており、ポインタの移動が終了していないと判断した場合にはさらに上記ステップＲ１０１からの処理に戻って同様の処理を繰返し実行する。
【００４７】
また、上記ステップＲ１０３でポインタの位置が一定時間以上変化しておらず、ポインタの移動が終了したと判断した場合には、次に一定時間、例えば直前の過去１秒間のポインタの移動範囲を確定する（ステップＲ１０４）。
【００４８】
図６は、画像を縦３×横３の計９個のエリア「Ａ」〜「Ｉ」に分割した場合を例示する。上記ステップＲ１０４の処理では、例えばエリアを示す情報を確定するものとする。
【００４９】
その後、上記ポインタの操作に対応するデータプロジェクタ装置２の機能を選択する（ステップＲ１０５）。これは、例えばデータプロジェクタ装置２により投影範囲ＰＡ内に選択可能なデータプロジェクタ装置２の機能名を一覧投影した上で、パーソナルコンピュータ１のマウス１ａ操作により特定の機能名に対してポインタが所定の描画操作、例えば記号「〆」に該当する操作がなされた場合に、当該位置にある機能を選択したものとする。  
因みに、記号「〆」に該当するポインタの操作を行なった場合、上記図５で示したポインタの移動に対応する方向列では「５，８，３」が必ず含まれることになる。
【００５０】
こうして、ポインタ操作に関する位置の一連の情報と、エリア、及び選択した機能を一組のデータとして関連付けてメインメモリ４８内部に保持するテーブルに登録する（ステップＲ１０６）。
【００５１】
以上でデータプロジェクタ装置２の機能設定に関する登録を一通り完了したこととなり、続けて他の機能の選択も行なうかどうかを判断する（ステップＲ１０７）。これは、例えばデータプロジェクタ装置２により投影範囲ＰＡ内に「次の機能を選択する」「機能の選択を終了する」のような文字ガイドメッセージを投影した上で、パーソナルコンピュータ１のマウス１ａ操作によりそのいずれの位置で所定の描画操作、例えば記号「〆」に該当する操作がなされたか否かにより判断する。
【００５２】
ここでまだ他の機能を選択するべく操作がなされた場合には、再び上記ステップＲ１０１からの処理に戻って同様の処理を繰返し実行する。
【００５３】
そして、ステップＲ１０７で登録を終了すると判断した時点で、この図４の処理を一旦終了する。
【００５４】
図７は、メインメモリ４８に保持する、ポインタ操作に対応した機能選択のテーブルＴＢの内容を例示する。同図では、記号に対して、ポインタ移動の方向列と、分割してエリアの位置、及び選択した機能を関連付けて複数記憶した例を示している。  
図中、例えば記号「○」の描画に対しては、記号の最上部から半時計回りに操作することにより、ポインタの移動に対応する方向列が「５，４，３，２，１，８」と順次変化することを示している。この方向列の内容に関しては、ユーザ個人の操作の癖が反映されるものであるが、なるべく簡略化した内容でテーブルＴＢに登録することにより、同様の方向列を含むポインタの操作に対応して、確実に同記号の操作を判断することができる。
【００５５】
なお、この図７で示したテーブルＴＢの記憶内容は、データプロジェクタ装置２の電源オフ時に電気的に書換可能な不揮発メモリであるプログラムメモリ４９に待避して記憶しておくことで、データプロジェクタ装置２の電源オフ時にも失われることがないように設定できる。
【００５６】
図８は、上記のようなテーブルＴＢへの登録を行なった上でパーソナルコンピュータ１からの画像データを投影するデータプロジェクタ装置２での処理内容を示す。
【００５７】
この図８の動作も、ＣＰＵ４７がプログラムメモリ４９から読出した動作プログラムをメインメモリ４８に展開して実施することで制御される。
【００５８】
その当初、パーソナルコンピュータ１から無線ＬＡＮアンテナ５４、無線ＬＡＮインタフェース５２を介して受信した画像データを画像変換部３３で投影に適したフォーマットに変換し、展開してビデオＲＡＭ３４に保持させた上で投影画像処理部３５によりマイクロミラー素子３６で表示させ、投影レンズユニット２ａを介してスクリーンＳＣに投影させる（ステップＰ１０１）。
【００５９】
これと合わせて、ビデオＲＡＭ３４に保持する画像データ中からポインタ位置を抽出し（ステップＰ１０２）、抽出したポインタの位置を前画像フレームで同様に抽出したポインタの位置と比較することでポインタが移動したか否かを判断する（ステップＰ１０３）。
【００６０】
ここでポインタが移動していないと判断した場合には、そのまま投影動作を継続するべく上記ステップＰ１０１からの処理に戻り、繰返し同様の処理を実行する。
【００６１】
また、上記ステップＰ１０３でポインタが移動したと判断した場合には、続いてその抽出したポインタの位置と移動方向とをメインメモリ４８に蓄積して保持させる（ステップＰ１０４）。
【００６２】
次いで、一定時間分、例えば直前の過去１秒間分のポインタの移動内容を取り纏めた上で（ステップＰ１０５）、上記メインメモリ４８のテーブルＴＢを参照し（ステップＰ１０６）、記憶されている方向列を含み、且つエリアが一致する記号があるか否かを判断する（ステップＰ１０７）。
【００６３】
ここで、該当する記号がないと判断した場合は、上記ステップＰ１０１からの処理に戻って繰返し同様の処理を実行する。  
一方で、上記ステップＰ１０７でテーブルＴＢに該当する記号があると判断した場合には、その記号に関連付けて記憶されている機能を読出し（ステップＰ１０８）、読出した機能を設定した後に（ステップＰ１０９）、再び次のポインタ操作に備えるべく上記ステップＰ１０１からの処理に戻る。
【００６４】
上記図７で示したテーブルＴＢによれば、例えば画面の右上に位置する「Ｃ」エリアでポインタにより記号「○」を描画する操作がなされた場合にはデータプロジェクタ装置２の静音モードのオン設定、同じく「Ｃ」エリアで記号「×」を描画する操作がなされた場合にはデータプロジェクタ装置２の静音モードのオフ設定、画面の左下に位置する「Ｇ」エリアでポインタにより記号「○」を描画する操作がなされた場合にはデータプロジェクタ装置２のオートパワーオフのオン設定、同じく「Ｇ」エリアで記号「×」を描画する操作がなされた場合にはデータプロジェクタ装置２のオートパワーオフのオフ設定がそれぞれ実行されるものとしている。
【００６５】
以上詳記した如く本実施形態によれば、特にレーザポインタ等の、パーソナルコンピュータ１とデータプロジェクタ装置２以外の構成要素を必要とせず、簡易な構成としながら、外部機器側であるパーソナルコンピュータ１によるポインタ操作を行なう過程で合わせてデータプロジェクタ装置２での投影に関する各種設定を遠隔操作することが可能となる。
【００６６】
また本実施形態では、上記図７で示したテーブルＴＢを用いてデータプロジェクタ装置２に関する機能設定を複数行えるものとしたので、データプロジェクタ装置２のユーザの好みや使用環境等を考慮し、最適な機能設定を実現できる。
【００６７】
加えて上記実施形態では、画像を複数のエリアに分割し、ポインタの操作に関して画像中での操作位置が属するエリアも関連付けて機能設定を行なうものとしたので、設定したエリア以外でのポイント操作を無効と判断することで、誤認識の可能性を低減できると共に、同一のポイント操作であってもエリアによって異なる機能設定を行なうことができるなど、機能設定のバリエーションを増やすことができる。
【００６８】
（第２の実施の形態）  
以下、パーソナルコンピュータとデータプロジェクタ装置を用いた本発明に係る投影システムに適用した場合の第２の実施形態について図面を参照して説明する。
【００６９】
なお、システム全体の外観と接続構成に関しては上記図１と、パーソナルコンピュータ１の構成に関しては上記図２と、そしてデータプロジェクタ装置の概略機能構成に関しては上記図３と、それぞれ基本的に同様であるため、同一部分には同一符号を付加するものとして、それらの図示と説明とを省略する。
【００７０】
次に上記実施形態の動作について説明する。  
図９は、パーソナルコンピュータ１からの画像データを投影するデータプロジェクタ装置２での処理内容を示す。
【００７１】
この図９の動作は、ＣＰＵ４７がプログラムメモリ４９から読出した動作プログラムをメインメモリ４８に展開して実施することで制御される。
【００７２】
その当初、パーソナルコンピュータ１から無線ＬＡＮアンテナ５４、無線ＬＡＮインタフェース５２を介して受信した画像データを画像変換部３３で投影に適したフォーマットに変換し、展開してビデオＲＡＭ３４に保持させた上で投影画像処理部３５によりマイクロミラー素子３６で表示させ、投影レンズユニット２ａを介してスクリーンＳＣに投影させる（ステップＰ２０１）。
【００７３】
これと合わせて、ビデオＲＡＭ３４に保持する画像データ中からポインタ位置を抽出し（ステップＰ２０２）、抽出したポインタの位置を前画像フレームで同様に抽出したポインタの位置と比較することでポインタが移動したか否かを判断する（ステップＰ２０３）。
【００７４】
ここでポインタが移動していないと判断した場合には、そのまま投影動作を継続するべく上記ステップＰ２０１からの処理に戻り、繰返し同様の処理を実行する。
【００７５】
また、上記ステップＰ２０３でポインタが移動したと判断した場合には、続いてその抽出したポインタの位置と移動方向とをメインメモリ４８に蓄積して保持させる（ステップＰ２０４）。
【００７６】
次いで、一定時間分、例えば直前の過去１秒間分のポインタの移動内容を取り纏めることで（ステップＰ２０５）、所定の位置、例えば画像の中央のエリアで、所定の記号、例えば「○」を描画するべくポインタが操作されたか否かを判断する（ステップＰ２０６）。
【００７７】
ここで、該当する位置で該当する記号のポインタ操作がないと判断した場合は、上記ステップＰ２０１からの処理に戻って繰返し同様の処理を実行する。  
一方で、上記ステップＰ２０６で画像の中央のエリアで「○」を描画するべくポインタが操作されたと判断した場合には、入力画像中央に、このデータプロジェクタ装置２の選択機能を列挙した半透明のメニュー項目画像を重畳した画像を作成して投影レンズユニット２ａよりスクリーンＳＣに向けて投影させる（ステップＰ２０７）。
【００７８】
その後、入力画像中のポインタ位置を抽出し（ステップＰ２０８）、抽出したポインタの位置を前画像フレームで同様に抽出したポインタの位置と比較することでポインタが移動したか否かを判断する（ステップＰ２０９）。
【００７９】
ここでポインタが移動していないと判断した場合には、そのまま半透明のメニュー項目画像を重畳した投影動作を継続するべく上記ステップＰ２０７からの処理に戻り、繰返し同様の処理を実行する。
【００８０】
また、上記ステップＰ２０９でポインタが移動したと判断した場合には、続いてその抽出したポインタの位置と移動方向とをメインメモリ４８に蓄積して保持させる（ステップＰ２１０）。
【００８１】
次いで、一定時間分、例えば直前の過去１秒間分のポインタの移動内容を取り纏めた上で（ステップＰ２１１）、その時点で半透明で投影しているメニュー項目画像中のいずれかの項目に該当する位置で所定の記号、例えば「○」を描画するべくポインタが操作されたか否かを判断する（ステップＰ２１２）。
【００８２】
ここで、メニュー項目画像中のいずれの項目にも該当しない位置での移動であった場合には、次いでその位置が上記メニュー項目画像を外れた位置での操作であるか否かを判断する（ステップＰ２１４）。
【００８３】
メニュー項目画像を外れた位置での操作であると判断した場合には、以上で半透明の上記メニュー項目画像の重畳投影を終了するべく、上記ステップＰ２０１からの処理に戻る。
【００８４】
一方、上記ステップＰ２１４でメニュー項目画像を外れた位置での操作ではないと判断した場合には、さらにいずれかのメニュー項目が選択されるのを待機するべく、上記ステップＰ２０７からの処理に戻る。
【００８５】
また、上記ステップＰ２１２でメニュー項目画像中のいずれかの項目に該当する位置で所定の記号を描画するべくポインタが操作された登判断した場合には、その選択された項目の機能を設定した後に（ステップＰ２１３）、再び次のポインタ操作に備えるべく上記ステップＰ２０１からの処理に戻る。
【００８６】
上記メニュー項目画像で選択することが可能な機能の項目としては、例えば上記第１の実施形態でも説明したように、データプロジェクタ装置２の静音モードのオンまたはオフの設定、データプロジェクタ装置２のオートパワーオフ機能のオンまたはオフの設定、データプロジェクタ装置２のアフタークーリングのオンまたはオフの設定等が考えられる。
【００８７】
さらに、上述したような所定の機能のオンまたはオフを択一的に選択するのみならず、画像データとは別にパーソナルコンピュータ１のマウス１ａでのクリック操作に応じた信号をデータプロジェクタ装置２で受信可能とすれば、ある機能を選択した時点で上記メニュー項目画像に代えてスケールを投影させ、そのスケール上でマウス１ａによるドラッグ操作を受付けることで、投影のコントラストやズーム角度、フォーカス位置、色調の調整など、多段階の機能に関する設定を行なうことも可能となる。
【００８８】
以上詳記した如く本実施形態によれば、ユーザが特に予め設定機能の登録等を行なわずとも、投影画像中にメニュー項目画像を投影させた上で必要な機能項目を選択して設定させることが可能となるので、データプロジェクタ装置２での投影に関する各種設定をより簡易に遠隔操作することが可能となる。
【００８９】
加えて、上記実施形態では、上記メニュー項目画像を半透明の画像として元の投影画像上に重畳して投影させるものとしたので、元の投影画像がメニュー項目画像によって完全に遮られてしまうことなく、メニュー項目画像が投影されている状態でも元の画像の内容を視認できる。
【００９０】
なお、上記実施形態では、パーソナルコンピュータ１とデータプロジェクタ装置２とを無線ＬＡＮ接続して画像データの伝送を行なうものとして説明したが、本発明はこれに限ることなく、当然ながら有線接続により画像データを伝送するものとしてもよい。
【００９１】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【図面の簡単な説明】
【００９２】
【図１】本発明の第１の実施形態に係るシステム全体の外観と接続構成を示す図。
【図２】同実施形態に係るパーソナルコンピュータのハードウェア構成を示すブロック図。
【図３】同実施形態に係るデータプロジェクタ装置の機能回路の概略構成を示すブロック図。
【図４】同実施形態に係るデータプロジェクタ装置の設定機能を登録する登録モード時の処理内容を示すフローチャート。
【図５】同実施形態に係るポインタの移動方向に数値「１」〜「８」を割り当てた例を示す図。
【図６】同実施形態に係る画像を複数のエリア「Ａ」〜「Ｉ」に分割した場合を例示する図。
【図７】同実施形態に係るポインタ操作に対応した設定機能のテーブルの内容を例示する図。
【図８】同実施形態に係るパーソナルコンピュータからの画像データを投影するデータプロジェクタ装置での処理内容を示すフローチャート。
【図９】本発明の第２の実施形態に係るパーソナルコンピュータからの画像データを投影するデータプロジェクタ装置での処理内容を示すフローチャート。
【符号の説明】
【００９３】
１…パーソナルコンピュータ、１ａ…マウス、２…データプロジェクタ装置、２ａ…投影レンズユニット、１１…ＣＰＵ、１２…ノースブリッジ、１３…メインメモリ、１４…グラフィックコントローラ、１５…グラフィックメモリ、１６…サウスブリッジ、１７…ＰＣＩバス、１８…キーボード／マウス、１９…ビデオエンコーダ、２０…無線ＬＡＮインタフェース（Ｉ／Ｆ）、２１…マルチディスクドライブ、２２…ハードディスク装置（ＨＤＤ）、２３…無線ＬＡＮアンテナ、３１…入出力コネクタ部、３２…入出力インタフェース（Ｉ／Ｆ）、３３…画像変換部、３４…ビデオＲＡＭ、３５…投影画像処理部、３６…マイクロミラー素子（ＳＯＭ）、３７…リフレクタ、３８…光源ランプ、３９…バラスト回路、４０…カラーホイール、４１…インテグレータ、４２…ミラー、４３…ステッピングモータ（Ｍ）、４４…モータ（Ｍ）、４５…マーカセンサ、４６…投影光処理部、４７…ＣＰＵ、４８…メインメモリ、４９…プログラムメモリ、５０…操作部、５１…音声処理部、５２…無線ＬＡＮインタフェース（Ｉ／Ｆ）、５３…スピーカ部、５４…無線ＬＡＮアンテナ、ＡＧＰ…グラフィクスインタフェース（Ｉ／Ｆ）、ＦＳＢ…フロントサイドバス、ＭＢ…メモリバス、ＰＡ…投影範囲、ＳＢ…システムバス、ＳＣ…スクリーン、ＴＢ…テーブル。
【図１】
2010061433.tif 000003
【図２】
2010061433.tif 000004
【図３】
2010061433.tif 000005
【図４】
2010061433.tif 000006
【図５】
2010061433.tif 000007
【図６】
2010061433.tif 000008
【図７】
2010061433.tif 000009
【図８】
2010061433.tif 000010
【図９】
2010061433.tif 000011